(57)【要約】【課題】超大型の地震による震動に対しても有効でありながら構造が簡単で設作コストが安価となり、上下の嵩が低く被支持物下部への組込みに制約を受けることが少ない免震装置を提供する。【解決手段】下側部材４と上側部材７を対向面間に座板８を挟んで上下に配置し、前記下側部材４はベース部材３上の上向き支点軸２に一端側を取付けて水平に回転可能とし、上側部材７は被支持物の載置部材５に設けた下向き支点軸６に一端側を取付けて水平に回転可能とし、前記上向き支点軸２と下向き支点軸６は下側部材４と上側部材７が平行状態の位相にあるとき同軸心の配置とし、前記下側部材４と上側部材７の途中を、座板８の中央を貫通してそれぞれの長孔１５、１５に対して長さ方向への移動が可能となるよう貫通する回転軸９で結合し、前記下側部材４と上側部材７の内部に、前記回転軸９に常時支点軸２、６側へ向けての移動弾性を付勢するスプリング１０、１０が組み込まれている。【選択図】図１
2006292043.tif 000002
【特許請求の範囲】
【請求項１】
内部中空の長い箱型で上壁の途中に長さ方向の長孔が設けられた下側部材と、同じく内部中空の長い箱型で下壁の途中に長さ方向の長孔が設けられた上側部材を対向面間に座板を挟んで上下に配置し、前記下側部材はベース部材上の上向き支点軸に一端側を取付けて水平に回転可能とし、上側部材は被支持物の載置部材に設けた下向き支点軸に一端側を取付けて水平に回転可能とし、前記上向き支点軸と下向き支点軸は下側部材と上側部材が平行状態の位相にあるとき同軸心の配置とし、前記下側部材と上側部材の途中を、座板の中央を貫通してそれぞれの長孔に対して長さ方向への移動が可能となるよう貫通する回転軸で結合し、前記下側部材と上側部材の内部に、前記回転軸に常時支点軸側へ向けての移動弾性を付勢するスプリングを組み込んだ免震装置。
【請求項２】
上記下側部材と上側部材の座板と対向する面で、長孔の両端部よりも外寄りの位置に、下側部材と上側部材の長さ方向の移動と回転を円滑にする転動体を設けた請求項１に記載の免震装置。
【請求項３】
上記回転軸は、下側部材と上側部材の内部に位置する両端部に、長孔の幅よりも大径の転動板が取付けられ、下側部材と上側部材の上下方向を結合している請求項１又は２に記載の免震装置。
【発明の詳細な説明】
【技術分野】
【０００１】
この発明は、地震発生時の振動を効果的に吸収して逃がすことで、被支持物を地震の被害から守る免震装置に関する。
【背景技術】
【０００２】
近年、大きな規模の地震が多発し、地震が発生した場合、その振動により家屋や構造物等の倒壊による人的及び経済的な被害が発生するため、地震による被害を防ぐ各種構造の免震装置が提案されている。
【０００３】
従来の免震装置として、例えば、基礎に固定されるベース部材の上部に横揺れ吸収材を配置し、この横揺れ吸収材の上面に建物固定部材を上下方向に結合された状態で平面的に回転可能となるよう設け、前記横揺れ吸収材が長さ方向に沿って中央から両端下がりの傾斜溝を有し、この傾斜溝内に転動体を上下方向に保持された状態で長さ方向に沿って転動可能となるよう組み込み、この転動体を上記ベース部材に対して平面的に回転可能で該ベース部材と一体動するよう結合し、前記横揺れ吸収材の両側傾斜溝の長さ方向中央の位置に転動体を保持し、横揺れ発生時に転動体の保持を解く転動体係止部が設けられている構造を有している（例えば、特許文献１参照）。
【０００４】
このような免震装置は、地震などによる横揺れは、横揺れ吸収材の両側傾斜溝に沿う転動体の移動によって吸収することができ、また、上下方向の縦揺れは、圧力空気で膨満する内側吸収部材の伸縮で吸収することができ、これにより、水平方向と垂直方向の衝撃を確実に吸収し、超大型の地震による震動に対しても建物の倒壊発生を防ぐことができ、また、横揺れが収まると転動体は係止部へ係合する位置へ自動的に復帰することになる。
【特許文献１】特開２００２−１８０６９５号公報
【発明の開示】
【発明が解決しようとする課題】
【０００５】
ところで、上記のような従来の免震装置は、水平方向と垂直方向の衝撃を確実に吸収し、超大型の地震による震動に対しても有効であるという利点があるが、構造が複雑で製作コストが高くつくと共に、上下の高さ寸法が高くなり、建物下部への組込みに制約を受けるという点で改善の余地がある。
【０００６】
そこで、この発明の課題は、超大型の地震による震動に対しても有効でありながら構造が簡単で設作コストが安価となり、上下の嵩が低く被支持物下部への組込みに制約を受けることが少ない免震装置を提供することにある。
【課題を解決するための手段】
【０００７】
上記のような課題を解決するため、この発明は、内部中空の長い箱型で上壁の途中に長さ方向の長孔が設けられた下側部材と、同じく内部中空の長い箱型で下壁の途中に長さ方向の長孔が設けられた上側部材を対向面間に座板を挟んで上下に配置し、前記下側部材はベース部材上の上向き支点軸に一端側を取付けて水平に回転可能とし、上側部材は被支持物の載置部材に設けた下向き支点軸に一端側を取付けて水平に回転可能とし、前記上向き支点軸と下向き支点軸は下側部材と上側部材が平行状態の位相にあるとき同軸心の配置とし、前記下側部材と上側部材の途中を、座板の中央を貫通してそれぞれの長孔に対して長さ方向への移動が可能となるよう貫通する回転軸で結合し、前記下側部材と上側部材の内部に、前記回転軸に常時支点軸側へ向けての移動弾性を付勢するスプリングを組み込んだ構成を採用したものである。
【０００８】
また、上記下側部材と上側部材の座板と対向する面で、長孔の両端部よりも外寄りの位置に、下側部材と上側部材の長さ方向の移動と回転を円滑にする転動体を設けたり、上記回転軸は、下側部材と上側部材の内部に位置する両端部に、長孔の幅よりも大径の転動板が取付けられ、下側部材と上側部材の上下方向を結合している構造とすることができる。
【０００９】
ここで、上記下側部材と上側部材の内部には、支点軸と反対側の端部を長さ方向に移動自在となるよう貫通する横軸を設け、この横軸の内端を回転軸の端部にリンクを介して角度可変に連結し、上記スプリングはこの横軸に外嵌し、横軸の内端側に設けたばね受けと下側部材又は上側部材の端壁の間に縮設され、横軸とリンクを介して回転軸に常時支点軸側へ向けての移動弾性を付勢している。
【００１０】
上記上側部材には、支点軸と反対側の端部に弾性部材を接続し、上側部材を長さ方向に引き圧することにより、振動の停止後に下側部材と上側部材が自動的に初期姿勢に復帰するようにしている。
【００１１】
また、下側部材と上側部材の相対的な長さ方向の移動範囲は長孔の長さによって規制され、地震の発生による振動が、例えば、ベース部材上の上向き支点軸を下側部材の長さ方向の他端側に移動させる方向であると、下側部材はその支点軸と回転軸を結ぶ線に長さ方向が沿うように直線移動し、この時、回転軸は下側部材と一体に上側部材のスプリングを圧縮しながら上側部材の長孔に沿って移動することで振動を吸収し、上側部材で支持した被支持部材に振動を伝えないようにすることができ、また、戻りの振動時は前記スプリングが伸長することで下側部材だけが移動し、上側部材で支持した被支持部材に振動を伝えないことになる。
【００１２】
また、地震の発生による振動が、ベース部材上の上向き支点軸を下側部材の長さ方向に対して角度を持っている場合、下側部材は３６０°回転可能となるので回転軸の移動可能な範囲は、下側部材と上側部材の長孔の長さの合計となり、大きな振り幅の振動にも対応することができる。
【発明の効果】
【００１３】
この発明によると、地震による振動を受けた下側部材は、移動と回転の複合した動きを生じ、これに追従して上側部材は支点軸を中心に回転することで振動を吸収し、これにより、上側部材には移動が生じないので、上側部材で支持した被支持部材に振動が伝わらないことになり、地震による振動を確実に吸収し、被支持部材を地震から保護することができる。
【００１４】
また、下側部材は３６０°回転可能となるので回転軸の移動可能な範囲は、下側部材と上側部材の長孔の長さの合計となり、大きな振り幅の振動にも対応することができる。
【００１５】
更に、箱型の下側部材と上側部材をその間に座板を挟んで上下に重ねたので、構造が簡単で製作コストが安価となり、上下の嵩が低く被支持物下部への組込みに制約を受けることが少ない。
【発明を実施するための最良の形態】
【００１６】
以下、この発明の実施の形態を添付図面に基づいて説明する。
【００１７】
図示のように、免震装置１は、上面に上向き支点軸２が立設され、地面の基礎Ａに固定するベース部材３と、一端側を前記支点軸２に枢止することにより、ベース部材３上に平面的に回転可能に取付けられた下側部材４と、この下側部材４上に配置され、被支持物Ｂの載置部材５に設けた下向き支点軸６に一端側を取付けて水平に回転可能となる上側部材７と、下側部材４と上側部材７の対向面間に介在させた座板８と、この座板８の中心部を貫通して下側部材４と上側部材７を結合する回転軸９と、回転軸９に弾性を付勢するスプリング１０とによって形成されている。
【００１８】
上記下側部材４は、一端側にヘッド部１１を備えた内部が中空室１２となる長い箱型に形成され、その上面は長さ方向の全長にわたって浅い凹溝１３になり、ヘッド部１１に下面で開口するよう設けた軸孔１４がベース部材３の支点軸２に外嵌し、この支点軸２を中心に水平に回転可能の配置となる。
【００１９】
この下側部材４における中空室１２の上壁１２ａには、略中間部の位置に長孔１５が長さ方向に沿って設けられ、この上壁１２ａの下面には長孔１５の周囲部分に、この長孔１５よりも広幅で長い凹溝１６が形成され、前記中空室１２は下側部材４の下面で開口する口部が蓋板１７で閉鎖され、内部にグリース等の潤滑剤を収納できるようになっている。
【００２０】
上記上側部材７は、下側部材４と略同様の構造を有し、下側部材４に対して上下を反転した配置で使用され、従って、下側部材４と同一部分には同一符号を付して説明する。ここで、上側部材７においては、軸孔１４が上面で開口し、下側部材４の上壁１２ａが下壁１２ａに、中空室１２は開口が上側に位置することになる。
【００２１】
この上側部材７は、ヘッド部１１の軸孔１４が被支持物Ｂを固定する載置部材５の下面に突設した支点軸６に外嵌し、この支点軸６を中心に水平に回転可能の配置となる。
【００２２】
上記下側部材４と上側部材７は、円盤状で長孔の長さの二倍以上の直径を有する座板８を挟んで上下に位置させ、図３のように、被支持物Ｂを支持する通常の状態で、ベース部材３の支点軸２と載置部材５の支点軸６が同軸心となり、長さ方向が同一方向に平行する配置となる。
【００２３】
上記のように、座板８を挟んで下側部材４と上側部材７を上下に重ねた状態で、上記回転軸９は、座板８の中央を回転可能に貫通して下側部材４と上側部材７のそれぞれの長孔１５、１５に対して長さ方向への移動が可能となるよう貫通し、下側部材４と上側部材７の中空室１２、１２に突出するこの回転軸９の上下両端には、凹溝１６の幅に適合する直径を有する円板の転動板１８、１８が、回転軸９の端部に設けた螺軸に螺合したナット１９によって抜け止め状に取付けられている。
【００２４】
上記転動板１８は、凹溝１６内に嵌り、回転軸９と一体に長孔１５の長さ方向に移動可能となり、下側部材４と上側部材７の上壁１２ａと下壁１２ａを挟むことによって、回転軸９を介して下側部材４と上側部材７を、その間に座板８を挟み込んだ状態で上下方向に一体となるよう結合している。
【００２５】
上記下側部材４と上側部材７の内部には、支点軸２、６と反対側の端壁１２ｂを長さ方向に移動自在で水平方向に揺動自在となるよう貫通する横軸２０を設け、この横軸２０の内端と回転軸９の端部に回転可能に取付けたリンク２１を結合軸２２で連結し、横軸２０を角度可変の状態で回転軸９と一体に移動するようにしている。
【００２６】
上記スプリング１０はこの横軸２０に外嵌し、横軸２０の内端側に設けたばね受け２３と下側部材４又は上側部材７の端壁１２ｂに重なる閉鎖部材の間に縮設され、横軸２０とリンク２１を介して回転軸９に常時支点軸２、６側へ向けての移動弾性を付勢している。
【００２７】
上記した上側部材７の中空室１２内には、下側部材４と上側部材７及び座板８に対する回転軸９の接触部分の動きを円滑にして摩耗を防ぐため、グリースのような潤滑剤が注入され、座板８には、回転軸９の周囲に潤滑剤の通過孔８ａが複数設けてある。
【００２８】
図１のように、上記下側部材４と上側部材７の座板８と対向する面で、長孔１５の両端部よりも外寄りの位置に、下側部材４と上側部材７の長さ方向の移動と回転を円滑にするため、転動体２４が回転可能に設けられている。図示の場合、転動体２４は、凹溝１３の幅に適合する長さを有し、座板８に対して当接するローラを示したが、鋼球のような球体を用いてもよく、下側部材４と上側部材７の回転が一段と円滑になる。
【００２９】
上記支点軸２、６側に位置する転動体２４は、支点軸２、６の軸心と交差又は同軸状の配置となり、免震装置１が通常の状態にあるとき、載置部材５で支持した被支持物Ｂの重量を支点軸２、６の軸線上で支持することができるようにしていると共に、前記転動体２４にローラを用いれば、上側部材７の中空室１２に充填した潤滑剤が外部に漏れるのを防ぐ役目もすることになる。
【００３０】
なお、転動体２４に鋼球を用いた場合、下側部材４と上側部材７の座板８と対向する面で転動体２４の外側位置に、座板８に当接するパッキンを設けたり、凹溝１３の両端を転動体２４の外側位置までとすることにより、潤滑剤が外部に漏れるのを防ぐようにすればよい。
【００３１】
また、上側部材７の中空室１２に充填した潤滑剤が下側部材４の内部に流れるのを防ぐため、下側部材４の上面凹溝１３と座板８の下面の間に、下側部材４の長孔１５を覆える幅と長さを有する閉鎖板３１を配置し、この閉鎖板３１を回転軸９が回転可能に貫通し、閉鎖板３１が回転軸９と一体に移動しても長孔１５を上面から常時閉鎖するようにしている。
【００３２】
上記した上側部材７には、支点軸６と反対側の端部にワイヤ係留環２５が外周を囲むようにして固定され、このワイヤ係留環２５と地面又は被支持物Ｂに取付ける固定部材２６の間を接続するワイヤ２７の途中に弾性部材であるスプリング２８を設け、上側部材７を長さ方向に引圧することにより、下側部材４と上側部材７が自動的に初期姿勢に復帰するようにしている。
【００３３】
図１１は、支点軸２によるベース部材３と下側部材４及び、支点軸６による被支持物Ｂの載置部材５と上側部材７の結合構造の他の例を示し、支点軸２、６の端部螺軸に螺合したナット２９、２９でそれぞれの嵌合部分を抜け止め状とすることにより、ベース部材３と下側部材４、載置部材５と上側部材７を上下に結合し、この結合部分が上下方向の振動に対して抜けることのないようにしている。
【００３４】
この発明の免震装置は上記のような構成であり、図５は被支持物Ｂが四角形の場合の免震装置１の配置状態を、また、図６は被支持物Ｂがタンクの如き多角形の場合の免震装置１の配置状態を示し、何れにおいても、被支持物Ｂの重量と全方向の振動に対応することのできる数の免震装置１を、被支持物Ｂを安定よく支持することができるように外周部寄りの位置に配置し、ベース部材３を地面の基礎Ａに固定すると共に、載置部材５とこれに載せた被支持物Ｂを結合し、上側部材７のワイヤ係留環２５に一端を接続したワイヤ２７の他端を固定部材２６にスプリング２８を介して接続し、上側部材７を長さ方向に沿って被支持物Ｂの中心部や対向する免震装置１に向けて引き圧するようにしておく。
【００３５】
上記のような配置により、地震の発生がない通常時、免震装置１は、図３、図７（ａ）と図８で示すように、下側部材４と上側部材７が平行状態の位相となり、上向き支点軸２と下向き支点軸６は上下に同軸心の配置となって載置部材５で支持した被支持物Ｂの重量を支点軸２、６の軸線上で支持し、また、回転軸９はスプリング１０の押圧で長孔１５、１５の支点軸２、６側端部に位置している。
【００３６】
このような被支持物Ｂの支持状態で、免震装置１の下側部材４は支点軸２を中心に３６０°の回転が可能な配置となり、また、上側部材７は、支点軸６を中心に回転可能であるが、回転軸９で回転が拘束を受ける位相になっている。
【００３７】
上記した被支持物Ｂの支持状態で、地震が発生した場合の免震装置１に対する振動の方向は、免震装置１の配置条件によって、振動が下側部材４と上側部材７の長さ方向に沿って加わる場合と、下側部材４と上側部材７の長さ方向に対して角度を持って加わる場合がある。
【００３８】
先ず、地震の振動方向が下側部材４と上側部材７の長さ方向に沿って加わる場合、図９における右側方向の往振動では、ベース部材３上の上向き支点軸２が下側部材４の長さ方向の他端側に向けて移動し、これと一体動する下側部材４はその支点軸２と回転軸９を結ぶ線に長さ方向が沿うように直線移動し、この時、回転軸９と座板８及び転動板１８は、回転軸９が長孔１５の一方端部で押されることで下側部材４と一体に移動し、回転軸９は上側部材７のスプリング１０を圧縮しながら上側部材７の長孔１５に沿って移動することで振動を吸収し、下側部材４が回転しなくても上側部材７で支持した被支持物Ｂに振動を伝えないようにすることができる。
【００３９】
また、復震動では、ベース部材３上の上向き支点軸２が下側部材４の長さ方向の一端側に向けて移動し、これと一体動する下側部材４はその支点軸２と回転軸９を結ぶ線に長さ方向が沿うように直線移動し、この時、回転軸９と座板８及び転動板１８は、回転軸９が上側部材７のスプリング１０で押し戻されることで下側部材４と一体に移動し、上側部材７で支持した被支持物Ｂに振動を伝えないようにすることができる。
【００４０】
更に、図９における左側方向の往振動では、ベース部材３上の上向き支点軸２と下側部材４が同図左方向に向けて移動し、下側部材４はその支点軸２と回転軸９を結ぶ線に長さ方向が沿うように直線移動し、この時、回転軸９と座板８及び転動板１８は、回転軸９が上側部材７の長孔１５の一方端部に当接することで停止し、下側部材４のスプリング１０を圧縮することで振動を吸収し、下側部材４が回転しなくても上側部材７で支持した被支持物Ｂに振動を伝えないようにすることができる。
【００４１】
また、復震動では、ベース部材３上の上向き支点軸２と下側部材４が図９の右側に向けて移動し、これと一体動する下側部材４はその支点軸２と回転軸９を結ぶ線に長さ方向が沿うように直線移動し、この時、下側部材４はスプリング１０で押し戻され、上側部材７で支持した被支持物Ｂに振動を伝えないようにすることができる。
【００４２】
上記のような上側部材７に対する下側部材４の移動は、座板８に対する転動体２４の回転によって円滑に得られると共に、下側部材４が移動して下側部材４と上側部材７の位相がずれても、座板８を介して下側部材４と上側部材７の重なり状態は維持できるので、免震装置１による被支持物Ｂの支持は安定よく保たれる。
【００４３】
次に、地震の振動が下側部材４と上側部材７の長さ方向に対して角度を持って加わった場合、ベース部材３上の上向き支点軸２が載置部材５の下向き支点軸６から離れ、このため、ヘッド部側端部１１が上向き支点軸２と一体に移動する下側部材４は回転軸９を中心にして回転しながら、これと同時に下側部材４全体は震動の方向に移動することになる。
【００４４】
下側部材４の全体的な移動において、回転軸９は、ワイヤ２７のスプリング２８で引圧されて初期位置を保つようになっている上側部材７の長孔１５の一方端部にスプリング１０で押圧されているので、図７（ｂ）のように、下側部材４のヘッド部側端部１１が震動の方向に移動すると、下側部材４は回転軸９を中心に回転することになり、このとき、予め設定されている支点軸２、６と前記回転軸９の距離よりも上下支点軸２、６の位相のずれ（ａ）が大きい場合、下側部材４は回転と共に長孔１５の方向に移動が生じ、この時の下側部材４の移動は、下側部材４のスプリング１０を圧縮する移動と、上側部材７のスプリング１０を圧縮する移動の何れか又は両スプリング１０、１０を圧縮する移動となる。
【００４５】
図７（ｂ）は、下側部材４が通常の位置から９０°強回転した位相を示し、下側部材４と回転軸９が一体に移動しながら回転軸９が上側部材７の長孔１５の端部に当接すると、下側部材４は回転軸９を中心に回転し、この時、回転軸９は支点軸２を中心に振られるので、上側部材７は回転軸９の振れ方向に追従し、下向き支点軸６を中心に回転することで、下向き支点軸６に移動を生じさせないようにし、これによって、被支持物Ｂへの震動の伝達を防ぐことになる。
【００４６】
図７（ｃ）と図１０は、下側部材４が通常の位置から略１８０°回転した位相を示し、図７（ｂ）のように、回転軸９が上側部材７の長孔１５の端部に当接した状態で、更に震動の幅が予め設定されている支点軸２、６と前記回転軸９の距離よりも上下支点軸２、６の位相のずれ（ｂ）が位相のずれ（ａ）よりも大きい場合、下側部材４は回転軸９に当接している長孔１５の支点軸２側の端部を中心に回転しながら通常の位置から略１８０°の範囲で回転すると共に、回転軸９に対して長孔１５の範囲で移動が生じることにより、大きな幅の振動も確実に逃がすことができる。
【００４７】
このように、下側部材４が通常の位置から回転を生じることにより、下向き支点軸６に対して最大両長孔１５、１５の合計長さ分だけの移動が可能になり、しかも、回転軸９をスプリング１０の弾性で押圧する横軸２０は、リンク２１を介して回転軸９と角度可変に連結されているので、地震の震動を受けた時点で横軸２０が傾斜動することにより、下側部材４の震動に対する回転発生を円滑にし、下側部材４は何れの方向にでも回転可能となり、これにより、免震装置１は全方向の震動に対して免震の対応ができることになる。
【００４８】
なお、免震装置１の用途は、大型及び剛性化することによって建物や構造物等の重量物の免震に使用でき、また、小型軽量化することにより、家具や室内備品、装飾品等の免震に使用することができる。
【図面の簡単な説明】
【００４９】
【図１】免震装置の通常の状態を示す縦断正面図
【図２】免震装置の通常の状態を示す平面図
【図３】免震装置の使用状態を示す通常の縦断正面図
【図４】（ａ）は図３における支点軸部分の拡大した縦断側面図、（ｂ）は図３における回転軸部分の拡大した縦断側面図
【図５】（ａ）は免震装置を角形被支持物の支持に使用した配置状態を示す平面図、（ｂ）は同縦断正面図
【図６】免震装置を多角形被支持物の支持に使用した配置状態を示す平面図
【図７】（ａ）は免震装置を対向状に配置した使用での通常の状態を示す平面図、（ｂ）は同上において、震動により下側部材が略９０°回転した免震状態を示す平面図、（ｃ）は震動により下側部材が略１８０°回転した免震状態を示す平面図
【図８】（ａ）は免震装置の使用状態を示す通常の縦断正面図、（ｂ）は同縦断正面図
【図９】（ａ）は免震装置の下側部材が水平移動した免震状態を示す平面図、（ｂ）は同縦断正面図
【図１０】（ａ）は震動により下側部材が略１８０°回転した免震状態を示す平面図、（ｂ）は同縦断正面図
【図１１】免震装置の支点軸によるベース部材と下側部材及び、支点軸による被支持物の載置部材と上側部材の結合構造の他の例を示す拡大した縦断正面図
【符号の説明】
【００５０】
１        免震装置
２        支点軸
３        ベース部材
４        下側部材
５        載置部材
６        支点軸
７        上側部材
８        座板
９        回転軸
１０      スプリング
１１      ヘッド部
１２      中空室
１３      凹溝
１４      軸孔
１５      長孔
１６      凹溝
１７      蓋板
１８      転動板
１９      ナット
２０      横軸
２１      リンク
２２      結合軸
２３      ばね受け
２４      転動体
２５      ワイヤ係留環
２６      固定部材
２７      ワイヤ
２８      スプリング
２９      ナット
３１      閉鎖板
【図１】
2006292043.tif 000003
【図２】
2006292043.tif 000004
【図３】
2006292043.tif 000005
【図４】
2006292043.tif 000006
【図５】
2006292043.tif 000007
【図６】
2006292043.tif 000008
【図７】
2006292043.tif 000009
【図８】
2006292043.tif 000010
【図９】
2006292043.tif 000011
【図１０】
2006292043.tif 000012
【図１１】
2006292043.tif 000013